(57)【特許請求の範囲】
【請求項１】
空調室内機（３０ａ１，３０ａ２，・・・，３０ａｎ）に情報を与える空調情報供与装置であって、
前記空調室内機（３０ａ１，３０ａ２，・・・，３０ａｎ）が空調を行う対象空間の対象空間温度を検出する第１検出部（１９ａ１）と、
前記第１検出部（１９ａ１）とは別の第２検出部（１７２ａ１）と、
前記第１検出部（１９ａ１）及び前記第２検出部（１７２ａ１）の検出信号を受信する受信部（３７４ａ１）と、
前記受信部（３７４ａ１）が受信した前記第２検出部（１７２ａ１）による検出値に基づいて、前記対象空間温度の所定の演算に基づいて補正した情報である人工対象空間温度を生成する人工対象空間温度生成部（３７６ａ１）と、
前記人工対象空間温度を、前記対象空間温度の代わりに、前記空調室内機（３０ａ１，３０ａ２，・・・，３０ａｎ）の制御部（１３ａ１，１３ａ２，・・・，１３ａｎ）に送信する送信部（３７５ａ１）と、
を備える、空調情報供与装置（７０ａ１，７０ａ２，・・・，７０ａｎ）。
【請求項２】
前記第２検出部（１７２ａ１）には、複数の種類の検出部が含まれ、少なくとも所定の温度を検出する温度検出部（１７３ａ１）と、所定の湿度を検出する湿度検出部（１７４ａ１）とが含まれる、
請求項１に記載の空調情報供与装置（７０ａ１，７０ａ２，・・・，７０ａｎ）。
【請求項３】
前記第２検出部（１７２ａ１）は、前記空調室内機（３０ａ１，３０ａ２，・・・，３０ａｎ）の各利用者に保持され、又は、前記第２検出部（１７２ａ１）には、前記利用者の人数を検出する人数検出部（１７６ａ１）が含まれ、
前記人工対象空間温度生成部（３７６ａ１）は、前記データ受信部（３７４ａ１）が受信した前記第２検出部（１７２ａ１）からの検出信号によって、前記利用者の人数を把握し、把握された前記利用者の人数に基づいて、前記人工対象空間温度を生成する、
請求項２に記載の空調情報供与装置（７０ａ１，７０ａ２，・・・，７０ａｎ）。
【請求項４】
前記受信部（３７４ａ１）は、前記空調室内機（３０ａ１，３０ａ２，・・・，３０ａｎ）の設定温度の情報をさらに受信し、
前記人工対象空間温度生成部（３７６ａ１）は、前記設定温度の情報をさらに加味して、前記人工対象空間温度を生成する、
請求項２又は３に記載の空調情報供与装置（７０ａ１，７０ａ２，・・・，７０ａｎ）。
【請求項５】
前記人工対象空間温度生成部（３７６ａ１）によって生成された人工対象空間温度を、前記第１検出部（１９ａ１）によって検出された対象空間温度に基づいて補正する補正部（３８１ａ１）、をさらに備え、
前記送信部（３７５ａ１）は、前記補正部（３８１ａ１）によって補正された前記人工対象空間温度を、前記対象空間温度の代わりに、前記空調室内機（３０ａ１，３０ａ２，・・・，３０ａｎ）の制御部（１３ａ１，１３ａ２，・・・，１３ａｎ）に送信する、
請求項２〜４のいずれか１項に記載の空調情報供与装置（７０ａ１，７０ａ２，・・・，７０ａｎ）。
【請求項６】
前記第２検出部（１７２ａ１）には、前記空調室内機（３０ａ１，３０ａ２，・・・，３０ａｎ）の利用者の動きを把握する動き把握検出部（１７５ａ１）が含まれ、
前記人工対象空間温度生成部（３７６ａ１）は、前記動き把握検出部（１７５ａ１）によって把握される利用者の動きをさらに加味して、前記人工対象空間温度を生成する、
請求項２〜５のいずれか１項に記載の空調情報供与装置（７０ａ１，７０ａ２，・・・，７０ａｎ）。
【請求項７】
前記第２検出部（１７２ａ１）には、前記空調室内機（３０ａ１，３０ａ２，・・・，３０ａｎ）の利用者の生理量を検出する生理量検出部（１７７ａ１）が含まれ、
前記生理量検出部（１７７ａ１）によって検出される検出値に基づいて、前記利用者の快／不快度を把握する快／不快度把握部（３８０ａ１）をさらに備え、
前記人工対象空間温度生成部（３７６ａ１）は、前記快／不快度把握部（３８０ａ１）によって把握される前記利用者の快／不快度をさらに加味して、前記人工対象空間温度を生成する、
請求項２〜６のいずれか１項に記載の空調情報供与装置（７０ａ１，７０ａ２，・・・，７０ａｎ）。
【請求項８】
前記第２検出部（１７２ａ１）は、前記空調室内機（３０ａ１，３０ａ２，・・・，３０ａｎ）の各利用者に保持され、且つ、前記利用者のＩＤ情報が付与され、
前記人工対象空間温度生成部（３７６ａ１）は、前記利用者毎に、前記人工対象空間温度を生成する、
請求項１又は２に記載の空調情報供与装置（７０ａ１，７０ａ２，・・・，７０ａｎ）。
【発明の詳細な説明】
【技術分野】
【０００１】
本発明は、空調情報供与装置に関する。
【背景技術】
【０００２】
従来、空調機において、新しい制御を開始しようとすると、特許文献１（特開２００７−７８２２１号公報）に開示のように新たな制御プログラムの更新や、新たな制御に必要な制御要素（例えば、センサ等）の追加・変更等が必要になり、ひいては、制御要素に対応できるように空調機自体の更新（改造）が必要になることが多い。
【発明の概要】
【発明が解決しようとする課題】
【０００３】
ここで、新たな制御を開始しようとする度に空調機自体の更新が必要になると、コストや、製品が出来あがるまでの時間の観点からは好ましくない。また、制御毎に空調機の更新が必要になると、汎用性の観点からも好ましくない。
【０００４】
そこで、本発明の課題は、空調機の更新の手間を抑制できる空調情報供与装置を提供することにある。
【課題を解決するための手段】
【０００５】
本発明の第１観点に係る空調情報供与装置は、空調室内機に情報を与える空調情報供与装置であって、第１検出部と、第２検出部と、受信部と、人工対象温度生成部と、送信部とを備える。第１検出部は、空調室内機が空調を行う対象空間の対象空間温度を検出する。第２検出部は、第１検出部とは別の検出部である。受信部は、第１検出部及び第２検出部の検出信号を受信する。人工対象空間温度生成部は、データ受信部が受信した第２検出部による検出値に基づいて、対象空間温度の所定の演算に基づいて補正した情報である人工対象空間温度を生成する。送信部は、人工対象空間温度を、対象空間温度の代わりに、空調室内機の制御部に送信する。
【０００６】
本発明の第１観点に係る空調情報供与装置では、検出部の情報から対象空間温度のような室内環境の人工的な情報を、所定の演算に基づいて生成し、当該人工的に生成した情報を実情報の代わりに空調室内機に送信することができる。例えば、湿度情報を加味した空調制御を行いたい場合、従来ならば、湿度情報を検出する検出部に対応するような回路を空調機に組み込まなければならないが、本発明の空調情報供与装置においては、上述のような処理を行うことができるので、当該回路を空調機に組み込まなくても湿度情報を加味した空調制御を行うこともできる。よって、空調機の更新の手間を抑制できる。
【０００７】
本発明の第２観点に係る空調情報供与装置は、第１観点に係る空調情報供与装置であって、第２検出部には、複数の種類の検出部が含まれ、少なくとも所定の温度を検出する温度検出部と、所定の湿度を検出する湿度検出部とが含まれる。
【０００８】
本発明の第２観点に係る空調情報供与装置では、温度の情報だけでなく、湿度の情報を加味して人工室内温度を生成できる。これにより、湿度の情報を加味した空調室内機の制御を行うことが可能になる。
【０００９】
本発明の第３観点に係る空調情報供与装置は、第２観点に係る空調情報供与装置であって、第２検出部は、空調室内機の各利用者に保持され、又は、第２検出部には、利用者の人数を検出する人数検出部が含まれる。人工対象空間温度生成部は、データ受信部が受信した第２検出部からの検出信号によって、利用者の人数を把握し、把握された利用者の人数に基づいて、人工対象空間温度を生成する。
【００１０】
本発明の第３観点に係る空調情報供与装置では、第２検出部の検出信号、すなわち、通信できた第２検出部の数によって、又は、人数検出部によって、利用者の人数を把握できる。これにより、把握した利用者の人数の多少に基づいて人工対象空間温度を生成できる。よって、利用者の状況に応じた空調室内機の制御が可能になる。
【００１１】
本発明の第４観点に係る空調情報供与装置は、第２観点又は第３観点に係る空調情報供与装置であって、受信部は、空調室内機の設定温度の情報をさらに受信する。人工対象空間温度生成部は、設定温度の情報をさらに加味して、人工対象空間温度を生成する。
【００１２】
本発明の第４観点に係る空調情報供与装置では、人工対象空間温度を生成する際の基準にする温度、すなわち、設定温度を把握できる。よって、より効率的に人工対象空間温度を生成できる。
【００１３】
本発明の第５観点に係る空調情報供与装置は、第２観点〜第４観点のいずれかに係る空調情報供与装置であって、補正部をさらに備える。補正部は、人工対象空間温度生成部によって生成された人工対象空間温度を、第１検出部によって検出された対象空間温度に基づいて補正する。送信部は、補正部によって補正された人工対象空間温度を、対象空間温度の代わりに、空調室内機の制御部に送信する。
【００１４】
本発明の第５観点に係る空調情報供与装置では、第１検出部によって検出された対象空間温度によって、人工対象空間温度を補正できる。よって、人工対象空間温度と第１検出部によって検出された対象空間温度とに乖離が発生している場合等に対応できる。
【００１５】
本発明の第６観点に係る空調情報供与装置は、第２観点〜第５観点のいずれかに係る空調情報供与装置であって、第２検出部には、空調室内機の利用者の動きを把握する動き把握検出部が含まれる。人工対象空間温度生成部は、動き把握検出部によって把握される利用者の動きをさらに加味して、人工対象空間温度を生成する。
【００１６】
本発明の第６観点に係る空調情報供与装置では、動き把握検出部によって、例えば、利用者が対象空間において運動をしている等を把握することができる。そして、当該利用者の動きに応じて人工対象空間温度を生成できるので、利用者の状況に応じた空調室内機の制御が可能になる。
【００１７】
本発明の第７観点に係る空調情報供与装置は、第２観点〜第６観点のいずれかに係る空調情報供与装置であって、第２検出部には、生理量検出部が含まれ、快／不快度把握部をさらに備える。生理量検出部は、空調室内機の利用者の生理量を検出する。快／不快度把握部は、生理量検出部によって検出される検出値に基づいて、利用者の快／不快度を把握する。人工対象空間温度生成部は、快／不快度把握部によって把握される利用者の快／不快度をさらに加味して、人工対象空間温度を生成する。
【００１８】
本発明の第７観点に係る空調情報供与装置では、利用者の状態を検出することによって、利用者の快／不快を把握できる。これにより、利用者の状態に応じた空調室内機の制御が可能になる。
【００１９】
本発明の第８観点に係る空調情報供与装置は、第１観点又は第２観点に係る空調情報供与装置であって、第２検出部は、空調室内機の各利用者に保持され、且つ、利用者のＩＤ情報が付与される。人工対象空間温度生成部は、利用者毎に、人工対象空間温度を生成する。
【００２０】
例えば、一般に、各利用者に対して空調を行うパーソナル空調が知られているが、発明の第８観点に係る空調情報供与装置では、このような空調設備に適用される場合により有効である。すなわち、各利用者の好み（状態）に応じた空調制御を行うことができる。
【発明の効果】
【００２１】
本発明の第１観点に係る空調情報供与装置では、空調機の更新の手間を抑制できる。
【００２２】
本発明の第２観点に係る空調情報供与装置では、湿度の情報を加味した空調室内機の制御を行うことが可能になる。
【００２３】
本発明の第３観点に係る空調情報供与装置では、把握した利用者の人数の多少に基づいて人工対象空間温度を生成できる。よって、利用者の状況に応じた空調室内機の制御が可能になる。
【００２４】
本発明の第４観点に係る空調情報供与装置では、より効率的に人工対象空間温度を生成できる。
【００２５】
本発明の第５観点に係る空調情報供与装置では、人工対象空間温度と第１検出部によって検出された対象空間温度とに乖離が発生している場合等に対応できる。
【００２６】
本発明の第６観点及び第７観点に係る空調情報供与装置では、利用者の状況に応じた空調室内機の制御が可能になる。
【００２７】
本発明の第８観点に係る空調情報供与装置では、各利用者の好み（状態）に応じた空調制御を行うことができる。
【図面の簡単な説明】
【００２８】
【図１】本発明の一実施形態に係る空調制御システムの概略構成図。
【図２】空調室内機の概略構成図。
【図３】空調情報供与装置の概略構成図。
【図４】第２センサと空調情報供与装置との通信イメージ図。
【図５】環境評価決定―人工室内温度決定マップを示す図。
【図６】衣服内温度及び衣服内湿度に基づく快適度の決定のグラフの一例を示す図。
【図７】空調情報供与装置の制御処理の流れを示すフローチャート。
【図８】変形例１Ａに係る空調情報供与装置の概略構成図。
【図９】変形例１Ｃに係る空調情報供与装置の概略構成図。
【図１０】変形例１Ｄに係る空調情報供与装置の概略構成図。
【図１１】変形例１Ｅに係る空調情報供与装置の概略構成図。
【図１２】変形例１Ｆに係る空調情報供与装置の概略構成図。
【発明を実施するための形態】
【００２９】
以下、図面を参照しながら、本発明の一実施形態に係る空調情報供与装置７０ａ１，７０ａ２，・・・，７０ａｎを含む空調制御システム１００について説明する。
【００３０】
（１）空調制御システム１００の全体の概略構成
図１は、本発明の実施形態に係る空調制御システム１００の概略構成図である。
【００３１】
空調制御システム１００は、ビル等の建物内の各部屋等の空調を行うために当該各部屋等に設置される複数の空調室内機３０ａ１，３０ａ２，・・・，３０ａｎ、を含む空調機１０ａの制御を行うためのシステムである。
【００３２】
簡単に説明すると、空調制御システム１００では、まず、空調室内機３０ａ１，３０ａ２，・・・，３０ａｎの室内制御部１３ａ１，１３ａ２，・・・，１３ａｎ（後述する）が、空調室内機３０ａ１，３０ａ２，・・・，３０ａｎの利用者や管理者による運転指令に基づく制御を行うか、空調情報供与装置７０ａ１，７０ａ２，・・・，７０ａｎから取得する各種の情報に基づく制御を行うか、を選択して決定している。そして、空調室内機３０ａ１，３０ａ２，・・・，３０ａｎの室内制御部１３ａ１，１３ａ２，・・・，１３ａｎは、空調室外機２０ａの室外制御部１２ａ(後述する)と協調しつつ、決定した制御に基づいて空調機１０ａの制御を行っている。
【００３３】
空調制御システム１００の具体的な構成について説明すると、空調制御システム１００は、図１に示すように、主として、空調機１０ａと、コントローラ４０と、空調情報供与装置７０ａ１，７０ａ２，・・・，７０ａｎとを備えている。
【００３４】
以下、空調制御システム１００を主として構成する各部の構成について適宜図面を参照しながら説明する。
【００３５】
（２）各部の構成
（２−１）空調機１０ａについて
以下、図１を用いて空調機１０ａの構成について説明する。なお、本実施形態の空調機１０ａは、いわゆるマルチ式の空調機を前提としているが、ペア式の空調機であってもよい。また、本実施形態では、１台の空調機１０ａのみを示しているが、複数の空調機があることを前提とする。
【００３６】
空調機１０ａは、図１に示すように、主として、空調を行う居室の外部に設置される空調室外機２０ａと、居室内の天井や壁に設置され居室の空調を行う複数の空調室内機３０ａ１，３０ａ２，・・・，３０ａｎと、空調室外機２０ａと空調室内機３０ａ１，３０ａ２，・・・，３０ａｎとを接続する冷媒配管（図示せず）とを有している。
【００３７】
空調室外機２０ａ及び空調室内機３０ａ１，３０ａ２，・・・，３０ａｎは、それぞれ、図示しない室外側冷媒回路、室内側冷媒回路を有しており、これらが冷媒配管によって接続されることで１の冷媒回路が形成されている。空調室外機２０ａの本体ケーシング内には、圧縮機や室外熱交換器等の室外側冷媒回路を構成する機器や室外ファンが収容されている。空調室内機３０ａ１，３０ａ２，・・・，３０ａｎの本体ケーシング内には、室内熱交換器、室内膨張弁等の室内側冷媒回路を構成する機器や室内ファンが収容されている。
【００３８】
空調機１０ａの制御部１１ａは、空調機１０ａを構成する空調室外機２０ａ及び空調室内機３０ａ１，３０ａ２，・・・，３０ａｎがそれぞれ有する、室外制御部１２ａ、１３ａ１，１３ａ２，・・・，１３ａｎの集合体である。室外制御部１２ａと室内制御部１３ａ１，１３ａ２，・・・，１３ａｎとは、専用の通信線を介して接続されており、互いに制御信号のやり取りが可能である。
【００３９】
空調機１０ａの制御部１１ａは、専用の通信線５を介してコントローラ４０と接続されている。
【００４０】
以下、空調室内機３０ａ１，３０ａ２，・・・，３０ａｎについて説明する。
【００４１】
（２−１−１）空調室内機３０ａ１，３０ａ２，・・・，３０ａｎについて
図２は、空調室内機３０ａ１，３０ａ２，・・・，３０ａｎの概略構成図（ここでは、代表として空調室内機３０ａ１の構成のみを示している）である。
【００４２】
複数の空調室内機３０ａ１，３０ａ２，・・・，３０ａｎは、居室内の空調を行う対象空間Ｓ（図４を参照）毎に１台が対応するように、居室内に配置される。
【００４３】
空調室内機３０ａ１，３０ａ２，・・・，３０ａｎ（具体的には、空調室内機３０ａ１，３０ａ２，・・・，３０ａｎの室内制御部１３ａ１，１３ａ２，・・・，１３ａｎ）は、居室内等に設置され空調室内機３０ａ１，３０ａ２，・・・，３０ａｎの利用者が操作可能なリモコン９９ａ１，９９ａ２，・・・，９９ａｎと無線又は専用の通信線を介して接続されている。また、空調室内機３０ａ１，３０ａ２，・・・，３０ａｎ（空調室内機３０ａ１，３０ａ２，・・・，３０ａｎの室内制御部１３ａ１，１３ａ２，・・・，１３ａｎ）は、空調情報供与装置７０ａ１，７０ａ２，・・・，７０ａｎと、専用の通信線を介して接続されている。
【００４４】
ここで、空調室内機３０ａ１，３０ａ２，・・・，３０ａｎの構成は、全て同様であるため、以下の説明においては、空調室内機３０ａ１の構成についてのみ説明し、空調室内機３０ａ２，・・・，３０ａｎについては、説明を省略する。
【００４５】
空調室内機３０ａ１は、図２に示すように、主として、室内制御部１３ａ１と、通信部１４ａ１と、記憶部１５ａ１とを有している。
【００４６】
通信部１４ａ１は、空調室内機３０ａ１を他の機器と通信可能にするネットワークインターフェースである。
【００４７】
記憶部１５ａ１は、主として、ハードディスク等から構成されており、運転データベース１６ａ１と、選択制御データベース１７ａ１と、取得データベース１８ａ１とを有している。
【００４８】
（２−１−１−１）運転データベース１６ａ１
運転データベース１６ａ１には、空調室内機３０ａ１の運転データ（後述する）が格納される。
【００４９】
（２−１−１−２）選択制御データベース１７ａ１
選択制御データベース１７ａ１には、室内制御部１３ａ１によって選択された制御（後述する）が記憶される。
【００５０】
（２−１−１−３）取得データベース１８ａ１
取得データベース１８ａ１には、室内制御部１３ａ１が他の各種機器から取得した取得データが記憶される。具体的には、取得データには、空調情報供与装置７０ａ１から送信された各種のデータ（後述する）、空調室内機３０ａ１の本体ケーシング内に配備される各種のセンサから取得した検出データ（室内温度のデータ等）、リモコン９９ａ１やコントローラ４０からの運転指令のデータ等が含まれる。
【００５１】
室内制御部１３ａ１は、コントローラ４０又はリモコン９９ａ１を介して利用者や管理者から入力される運転指令に基づいて、同冷媒回路に属する空調室外機２０ａの室外制御部１２ａと協調しつつ、空調機１０ａ内に含まれる各種機器の動作を制御するか（ここでは、当該制御を第１制御という）、後に詳述する空調情報供与装置７０ａ１から与えられた各種の情報に基づいて、同冷媒回路に属する空調室外機２０ａの室外制御部１２ａと協調しつつ、空調機１０ａ内に含まれる各種機器の動作を制御するか（ここでは、当該制御を第２制御という）を選択して決定する。そして、室内制御部１３ａは、選択した制御（すなわち、第１制御又は第２制御）を行っている。なお、室内制御部１３ａ１が選択した制御は、選択制御データベース１７ａ１に記憶される。
【００５２】
ここで、コントローラ４０又はリモコン９９ａ１を介して利用者や管理者から入力される運転指令とは、空調室内機３０ａ１の起動／停止指令、空調室内機３０ａ１の設定温度の変更指令、空調室内機３０ａ１の運転モード（冷房モード／暖房モード）の変更指令等が含まれる。また、空調機１０ａ内に含まれる各種機器の動作の制御とは、圧縮機の回転数の調整、室外ファンや室内ファンの回転数の調整、室内膨張弁の開度の調整等が挙げられる。
【００５３】
また、室内制御部１３ａ１は、コントローラ４０からの制御指令に応じて、空調室内機３０ａ１の運転実績に関するデータ（以下、運転データという）をコントローラ４０に送信する。空調室内機３０ａ１の運転データには、起動／停止の状態のデータ、設定温度のデータ、冷房／暖房／除湿等の運転モードのデータや、空調室内機３０ａ１内の各種機器の状態値（室内ファンの回転数、室内膨張弁の開度、冷媒温度、冷媒圧力等）を示すデータが含まれる。
【００５４】
また、室内制御部１３ａ１には、各種のセンサが接続されている。各種のセンサには、対象空間Ｓの温度（対象空間温度）を検出する室内温度センサ１９ａ１（第１検出部に相当）、冷媒温度や冷媒圧力を検出する冷媒温度センサ（図示せず）、冷媒圧力センサ（図示せず）等が含まれる。室内温度センサ１９ａ１は、空調室内機３０ａ１の吸込口付近に設置される。ここでは、空調室内機３０ａ１に吸い込まれる吸込空気の温度（吸込温度）を室内温度として検出している。
【００５５】
なお、室外制御部１２ａには、空調室外機２０ａの吸込口付近に設置され、空調室外機２０ａの近傍の外気温度（室外温度）を検出する室外温度センサ等が接続される。
【００５６】
（２）コントローラ４０について
コントローラ４０は、空調機１０ａ１，１０ａ２，・・・，１０ａｎが設置される建物内の管理室等に配置され、空調機１０ａ１，１０ａ２，・・・，１０ａｎの監視及び制御を行う機器である。なお、本実施形態では、空調室内機３０ａ１，３０ａ２，・・・，３０ａｎの室内制御部１３ａ１，１３ａ２，・・・，１３ａｎは、上述したように、第１制御を行うか第２制御を行うかを選択することができる。よって、空調情報供与装置７０ａ１，７０ａ２，・・・，７０ａｎから取得する情報に基づいて、空調室内機３０ａ１，３０ａ２，・・・，３０ａｎ内の各種機器を制御する場合は、コントローラ４０からの運転指令は無効になる。
【００５７】
コントローラ４０は、空調室内機３０ａ１，３０ａ２，・・・，３０ａｎの室内制御部１３ａ１，１３ａ２，・・・，１３ａｎから空調室内機３０ａ１，３０ａ２，・・・，３０ａｎの運転データを取得したり、空調室外機２０ａの制御部１２ａから空調室外機２０ａの運転データ（具体的には、通常運転モード／能力制限モードのデータや、空調室外機２０ａ内の各種機器の状態値（室外ファンの回転数、圧縮機の回転数（周波数）、冷媒温度、冷媒圧力等））を取得したりする。
【００５８】
（３）空調情報供与装置７０ａ１，７０ａ２，・・・，７０ａｎについて
図３は、空調情報供与装置７０ａ１，７０ａ２，・・・，７０ａｎの概略構成図（ここでは、代表として空調情報供与装置７０ａ１の構成のみを示している）である。図４は、第２センサ１７２ａ１（後述する）と空調情報供与装置７０ａ１，７０ａ２，・・・，７０ａｎ（ここでは、代表として空調情報供与装置７０ａ１のみを示している）との通信イメージ図である。
【００５９】
空調室内機３０ａ１，３０ａ２，・・・，３０ａｎは、上述したように、第１制御か第２制御かを選択できる。空調情報供与装置７０ａ１，７０ａ２，・・・，７０ａｎは、空調室内機３０ａ１，３０ａ２，・・・，３０ａｎが第２制御を選択した場合に、空調室内機３０ａ１，３０ａ２，・・・，３０ａｎ（空調機１０ａ）に空調情報を与える装置である。
【００６０】
ここで、従来の技術について簡単に説明する。従来、空調機において、新しい制御を開始しようとすると、特許文献１（特開２００７−７８２２１号公報）に開示のように新たな制御プログラムの更新や、新たな制御に必要な制御要素（例えば、センサ等）の追加・変更等が必要になり、ひいては、制御要素に対応できるように（センサの信号を処理するような回路を組み込むために）空調機自体の更新（改造）が必要になることが多い。しかし、新たな制御を開始しようとする度に空調機自体の更新が必要になると、コストや、製品が出来あがるまでの時間の観点からは好ましくない。また、制御毎に空調機の更新が必要になると、汎用性の観点からも好ましくない。
【００６１】
よって、本願では、空調機の更新の手間を抑制するために、空調情報供与装置７０ａ１，７０ａ２，・・・，７０ａｎを用いた制御（第２制御）を行うことができる。具体的には、本実施形態では、新たな種々の制御の更新に対応できるようにするため、空調情報供与装置７０ａ１，７０ａ２，・・・，７０ａｎにおいて、多種多様なセンサからの情報を受信でき、各種のセンサの情報に基づいて居室内の空調環境等の情報にモデル化でき、作成したモデルに基づいて各種のセンサの情報を空調機１０ａが対応できる信号に変換できる（すなわち、センサの情報を人工的に生成した情報に置き換えて空調機１０ａに送信している）。よって、センサが追加されても、空調情報供与装置７０ａ１，７０ａ２，・・・，７０ａｎにおいて、センサの情報をモデル化でき、それを空調機１０ａが対応できる信号に変換できることにより、空調機１０ａ自体の更新の手間が省ける、又は、空調機１０ａ自体の更新の手間が少なくなる。
【００６２】
以下、図３を用いて具体的に空調情報供与装置７０ａ１，７０ａ２，・・・，７０ａｎについて説明するが、空調情報供与装置７０ａ１，７０ａ２，・・・，７０ａｎは、全て同様の構成を有するため、代表として空調情報供与装置７０ａ１の構成についてのみ説明し、空調情報供与装置７０ａ２，・・・，７０ａｎの構成については、説明を省略する。そして、以下では、モデル化される居室内の空調環境として室内温度を一例に挙げて説明する。具体的には、室内温度センサ１９ａ１以外の第２センサ１７２ａ１によって検出されたセンサ値（検出値）に基づいて、室内温度の人工的な情報（所定の演算に基づいて補正した情報）である人工室内温度Ｔａ（人工対象空間温度に相当）を生成し、実際の情報である室内温度の代わりに、当該人工室内温度Ｔａを空調室内機３０ａ１，３０ａ２，・・・，３０ａｎの室内制御部１３ａ１，１３ａ２，・・・，１３ａｎに送信する場合を例に挙げている。
【００６３】
空調情報供与装置７０ａ１は、図３に示すように、主として、通信部７１ａ１と、検出部７２ａ１（複数の検出部に相当）と、記憶部７３ａ１と、制御部７４ａ１とを有している。
【００６４】
通信部７１ａ１は、空調情報供与装置７０ａ１の空調室内機３０ａ１との通信を可能にするネットワークインターフェースである。当該通信部７１ａ１を介して、空調情報供与装置７０ａ１から空調室内機３０ａ１へ各種のデータ（情報）が送信される。
【００６５】
検出部７２ａ１は、空調室内機３０ａ１に設置される室内温度センサ１９ａ１と、室内温度センサ１９ａ１以外のセンサである第２センサ１７２ａ１（第２検出部に相当）と、を有する。第２センサ１７２ａ１は、空調機１０ａ（空調室内機３０ａ１）の各利用者に保持されるセンサである。第２センサ１７２ａ１には、複数の種類のセンサが含まれる。具体的には、第２センサ１７２ａには、衣服内温度センサ１７３ａ１と、衣服内湿度センサ１７４ａ１とが含まれる。衣服内温度センサ１７３ａ１は、各利用者の衣服内の温度（衣服内温度Ｔ１という）を検出するセンサである。衣服内湿度センサ１７４ａ１は、各利用者の衣服内の湿度（衣服内湿度Ｈ１という）を検出するセンサである。衣服内温度センサ１７３ａ１及び衣服内湿度センサ１７４ａ１（つまり、第２センサ１７２ａ１）は、持ち運びが可能なセンサで各利用者のポケット等に入れることが可能なものであってもよいし、図４に示すように各利用者の衣服の襟元等に固定されるようなものであってもよい。
【００６６】
記憶部７３ａ１は、取得データベース２７３ａ１と、指標生成データベース２７４ａ１と、環境評価決定―人工室内温度決定データベース２７５ａ１と、人工室内温度データベース２７６ａ１とを保持している。記憶部７３ａ１は、ＲＡＭやＲＯＭなどの内部メモリ、ハードディスクなどの外部メモリ、及び、両者を含むもの、のいずれであってもよい。
【００６７】
（３−１−１）取得データベース２７３ａ１
取得データベース２７３ａ１には、データ受信部３７４ａ１（後述する）が他の機器（空調室内機３０ａ１（空調機１０ａ）やコントローラ４０）から受信して取得した各種のデータが記憶される。また、取得データベース２７３ａ１には、データ受信部３７４ａ１によって受信された検出部７２ａ１の検出データが記憶される。
【００６８】
（３−１−２）指標生成データベース２７４ａ１
指標生成データベース２７４ａ１には、指標生成部３７７ａ１（後述する）が空調室内機３０ａ１に情報（具体的には、人工室内温度Ｔａのデータ）を送信するための決定処理（具体的には、後述する利用者の空調環境の評価の決定処理）に用いる指標Ｚ、を生成するための指標生成データが記憶されている。ここで、指標Ｚは、相対湿度（％）である。指標生成データとは、具体的には、第２センサ１７２ａ１（具体的には、衣服内温度センサ１７３ａ１及び衣服内湿度センサ１７４ａ１）によって検出されたセンサ値（検出値）を変数とした関数式である。当該関数式は、Ｚ＝ｆ（Ｔ１，Ｈ１）で表される。
【００６９】
（３−１−３）環境評価決定―人工室内温度決定データベース２７５ａ１
図５は、環境評価決定―人工室内温度決定マップを示す図である。ここで、Ｚは、上述した通り、指標生成部３７７ａ１によって生成された指標である。ｘ１，ｘ２は、予め決定されている閾値である。αは、予め決定されている任意の値である。また、Ｔｂは、人工室内温度Ｔａを決定する際の基準となる基準温度であり、例えば、２７度に設定される。
【００７０】
環境評価決定―人工室内温度決定データベース２７５ａ１には、図５に示すように、利用者の空調環境の評価（具体的には、暑い、寒い、快適といった利用者が感じると推定される空調環境の評価、以下、空調環境評価という）と、当該空調環境評価を決定するための環境評価決定条件と、当該空調環境評価に基づいて決定される人工室内温度Ｔａと、の関係が示される環境評価決定―人工室内温度決定マップが記憶されている。
【００７１】
図５について簡単に説明すると、指標Ｚがｘ１未満といった環境評価条件を満たせば、空調環境評価は寒いと決定され、指標Ｚがｘ１以上ｘ２未満といった環境評価条件を満たせば、空調環境評価は快適と決定され、指標Ｚがｘ２以上といった環境評価条件を満たせば、空調環境評価は暑いと決定される。
【００７２】
ここで、図６は、衣服内温度Ｔ１及び衣服内湿度Ｈ１に基づく利用者の快適度の決定のグラフの一例を示す図である。当該グラフも、環境評価決定―人工室内温度決定データベース２７５ａ１に記憶されている。そして、図５の空調環境評価の決定は、具体的には、図６に基づいて決定されている。図６においては、快適度は、Ａ＞Ｂ＞Ｃ＞Ｄ＞Ｅとなる。例えば、生成された指標ＺがＡやＢの範囲内であれば、快適と決定される。また、生成された指標ＺがＣ、Ｄ、Ｅの範囲内であれば、不快と決定される。よって、生成された指標ＺがＡやＢの範囲内であれば、空調環境評価は快適と決定され、生成された指標ＺがＣ、Ｄの範囲内であれば、空調環境評価は寒い又は暑いと決定され、生成された指標ＺがＥの範囲内であれば、暑いと決定される。
【００７３】
そして、図５に基づいて、空調環境評価が寒いと決定されれば、人工室内温度Ｔａは、基準温度Ｔｂから任意の値αを減算した値に決定される。また、空調環境評価が快適であると決定されれば、人工室内温度Ｔａは、基準温度Ｔｂと同様の値に決定される。また、空調環境評価が暑いと決定されれば、人工室内温度Ｔａは、基準温度Ｔｂに任意の値αが加算された値に決定される。
【００７４】
（３−１−４）人工室内温度データベース２７６ａ１
人工室内温度データベース２７６ａ１には、人工室内温度決定部３７９ａ１（後述する）によって決定された人工室内温度Ｔａのデータが記憶されている。
【００７５】
制御部７４ａ１は、主として、ＣＰＵ、ＲＯＭ、ＲＡＭ等から構成されている。制御部７４ａ１は、記憶部７３ａ１に記憶されているプログラムを読み出して実行することにより、データ受信部３７４ａ１、データ送信部３７５ａ１、人工室内温度生成部３７６ａ１（指標生成部３７７ａ１、環境評価決定部３７８ａ１、人工室内温度決定部３７９ａ１）等として機能する。
【００７６】
（３−１―５）データ受信部３７４ａ１
データ受信部３７４ａ１は、他の機器（空調室内機３０ａ１（空調機１０ａ）やコントローラ４０）から各種のデータを受信する。また、検出部７２ａ１（具体的には、室内温度センサ１９ａ１及び第２センサ１７２ａ１）からの検出信号を受信する。
【００７７】
（３−１−６）データ送信部３７５ａ１
データ送信部３７５ａ１は、記憶部７３ａ１に格納されている各種のデータを各種機器（空調室内機３０ａ１（空調機１０ａ）やコントローラ４０）に送信する。
【００７８】
（３−１−７）人工室内温度生成部３７６ａ１（人工対象空間温度生成部に相当）
人工室内温度生成部３７６ａ１は、空調室内機３０ａ１（空調機１０ａ）に送信する人工室内温度Ｔａのデータを生成する。具体的には、以下に説明する、指標生成部３７７ａ１、環境評価決定部３７８ａ１、人工室内温度決定部３７９ａ１が、人工室内温度Ｔａのデータを生成するための人工室内温度生成部として機能している。
【００７９】
（３−１−７−１）指標生成部３７７ａ１
指標生成部３７７ａ１は、データ受信部３７４ａ１が受信した第２センサ１７２ａ１のセンサ値（検出値）と、指標生成データベース２７４ａ１に記憶されている指標生成データとに基づいて、指標Ｚを生成する。
【００８０】
（３−１−７−２）環境評価決定部３７８ａ１
環境評価決定部３７８ａ１は、環境評価決定―人工室内温度決定データベース２７５ａ１に記憶されている環境評価決定―人工室内温度決定マップ及び衣服内温度Ｔ１及び衣服内湿度Ｈ１に基づく利用者の快適度の決定のグラフに基づいて、空調環境評価を決定する。
【００８１】
（３−１−７−３）人工室内温度決定部３７９ａ１
人工室内温度決定部３７９ａ１は、環境評価決定―人工室内温度決定マップを参照して、人工室内温度Ｔａを決定する。そして、人工室内温度決定部３７９ａ１は、当該決定した人工室内温度Ｔａを、人工室内温度データベース２７６ａ１に格納する。
【００８２】
（４）空調情報供与装置７０ａ１の制御処理の流れ
図７は、空調情報供与装置７０ａ１の制御処理の流れを示すフローチャートである。
【００８３】
以下、図７を用いて、空調情報供与装置７０ａ１の制御処理の流れを説明する。
【００８４】
まず、ステップＳ１０１では、第２センサ１７２ａ１に、駆動信号を送信する。
【００８５】
ステップＳ１０２では、指標生成部３７７ａ１は、第２センサ１７２ａ１の検出信号を受信したか否かを判定する。受信したと判定する場合は、ステップＳ１０３へ移行し、他方、受信していないと判定する場合は、ステップＳ１０２の処理を繰り返す。
【００８６】
ステップＳ１０３では、指標生成部３７７ａ１は、指標Ｚを生成する。
【００８７】
ステップＳ１０４では、環境評価決定部３７８ａ１は、指標生成部３７７ａ１が生成した指標Ｚを用いて、環境評価決定―人工室内温度決定マップ及び衣服内温度Ｔ１及び衣服内湿度Ｈ１に基づく利用者の快適度の決定のグラフから、空調環境評価を決定する。
【００８８】
ステップＳ１０５では、人工室内温度決定部３７９ａ１は、環境評価決定部３７８ａ１が決定した空調環境評価から人工室内温度Ｔａを決定する。このようにして、指標生成部３７７ａ１、環境評価決定部３７８ａ１、人工室内温度決定部３７９ａ１は、人工室内温度Ｔａのデータを生成するための人工室内温度生成部３７６ａ１として機能している。
【００８９】
最後に、ステップＳ１０６では、データ送信部３７５ａ１は、人工室内温度データベース２７６ａ１に格納された人工室内温度Ｔａを、通信部７１ａ１を介して空調室内機３０ａ１の室内制御部１３ａ１（空調機１０ａの制御部１１ａ）に送信する。
【００９０】
以上のようにして、空調室内機３０ａ１，３０ａ２，・・・，３０ａｎの室内制御部１３ａ１，１３ａ２，・・・，１３ａｎ（空調機１０ａの制御部１１ａ）は、空調情報供与装置７０ａ１，７０ａ２，・・・，７０ａｎから与えられる情報（具体的には、人工室内温度Ｔａ）に基づいて、空調室内機３０ａ１，３０ａ２，・・・，３０ａｎの制御を行っている。具体的には、空調室内機３０ａ１，３０ａ２，・・・，３０ａｎの室内制御部１３ａ１，１３ａ２，・・・，１３ａｎ（空調機１０ａの制御部１１ａ）は、空調情報供与装置７０ａ１，７０ａ２，・・・，７０ａｎから送られる人工室内温度Ｔａと、空調室内機３０ａ１，３０ａ２，・・・，３０ａｎの設定温度との乖離度に基づいて、空調機１０ａの各種機器（圧縮機、室外ファン、室内ファン、膨張弁等）の動作を制御している。
【００９１】
（５）特徴
（５−１）
本実施形態では、空調情報供与装置７０ａ１（代表として、空調情報供与装置７０ａ１を挙げて説明する）は、各種のセンサ（ここでは、衣服内温度センサ１７３ａ１及び衣服内湿度センサ１７４ａ１）の情報（検出信号）を受信して、当該センサの情報（検出値）を記憶部７３ａ１に記憶されるデータベースに基づいて、室内環境情報である室内温度にモデル化（指標Ｚの生成や指標Ｚを用いた空調環境評価の決定）できる。そして、当該作成したモデルに基づいて、センサ（衣服内温度センサ１７３ａ１及び衣服内湿度センサ１７４ａ１）の情報を人工的な情報（所定の演算に基づいて補正した情報）である人工室内温度Ｔａに置き換え、実際に検出される室内温度の代わりに、当該人工室内温度Ｔａを、空調室内機３０ａ１（空調機１０ａ）に送信している。
【００９２】
すなわち、空調情報供与装置７０ａ１は、複数の検出部７２ａ１のうち、室内温度センサ１９ａ１以外の第２センサ１７２ａ１のセンサ値（検出値）に基づいて、実際に検出される室内温度の代わりとなる人工室内温度Ｔａを生成できる。
【００９３】
そして、空調室内機３０ａ１の室内制御部１３ａ１は、空調情報供与装置７０ａ１から送られた人工室内温度Ｔａに基づいて、空調室外機２０ａの制御部１２ａと協調しつつ、空調機１０ａの各種機器の動作を制御している。
【００９４】
ここでは、新たな制御（例えば、上述したように、人の衣服内の温度・湿度を検出することによる空調室内機３０ａ１（空調機１０ａ）の制御）を開始しようとして新たなセンサ（例えば、上述したように、衣服内温度センサ１７３ａ１及び衣服内湿度センサ１７４ａ１）が追加されたとしても、空調情報供与装置７０ａ１において、当該センサの情報をモデル化でき、空調機１０ａ（空調室内機３０ａ１）が対応できるサーミスタの情報（室内環境情報である室内温度に相当する情報、すなわち、人工室内温度Ｔａ）に変換することができるので、空調機１０ａ自体に新たなセンサに対応する回路を新たに設けなくてもすむ。
【００９５】
これにより、空調機１０ａ自体の更新の手間が省ける、又は、空調機１０ａ自体の更新の手間が少なくなる。よって、空調機１０ａの更新の手間を抑制できる。
【００９６】
（５−２）
本実施形態では、人工室内温度Ｔａを生成する際に、衣服内温度Ｔ１だけでなく、衣服内湿度Ｈ１を用いている。これにより、利用者の発汗状態等を把握できるので、利用者の状況に応じて、人工室内温度Ｔａを生成できる。よって、利用者の状況に応じた空調室内機３０ａ１，３０ａ２，・・・，３０ａｎの制御が可能になる。
【００９７】
なお、従来であれば、温度情報に湿度情報を加味した制御を行おうとすると、空調機に当該湿度情報を検出する湿度センサに対応する回路を組み込まなければならないが、本実施形態では、空調情報供与装置７０ａ１，７０ａ２，・・・，７０ａｎにおいて、上述で説明した処理を行うことができるので、空調機１０ａに新たな回路を組み込まなくても、湿度情報を加味した空調制御を行うことができる。よって、空調機１０ａの更新の手間が抑制できる。
【００９８】
（５−３）
本実施形態では、空調情報供与装置７０ａ１の記憶部７３ａ１は、外部メモリであってもよいと説明した。これにより、モデルの書き換え（更新）を容易に行うことができる。よって、空調室内機３０ａ１（空調機１０ａ）の新たな制御を開始する際、主として、新たなセンサの追加と、モデルの書き換えとを行うだけですむ。よって、空調機１０ａの更新の手間を抑制できる。
【００９９】
（６）変形例
以上、本発明の実施形態について図面に基づいて説明したが、具体的な構成は、上記の実施形態に限られるものではなく、発明の要旨を逸脱しない範囲で変更可能である。
【０１００】
（６−１）変形例１Ａ
上記実施形態では、第２センサ１７２ａ１には、衣服内温度センサ１７３ａ１と衣服内湿度センサ１７４ａ１とが含まれると説明したが、これに限られるものではない。
【０１０１】
例えば、第２センサ１７２ａ１には、両センサ１７３ａ１，１７４ａ１ではなく、室内温度センサ１９ａ１以外の、１種類又は複数の種類の他のセンサが含まれていてもよい。
【０１０２】
また、第２センサ１７２ａ１は、両センサ１７３ａ１，１７４ａ１のみに限られるものではなく、両センサ１７３ａ１，１７４ａ１以外の他のセンサが含まれていてもよい。
【０１０３】
他のセンサには、例えば、利用者の動きを把握する動き把握センサ１７５ａ１（後述する）、サーモグラフィー等の画像を検出する画像センサ等がある。
【０１０４】
また、第２センサ１７２ａ１は、各利用者に保持されると説明したが、これに限られるものではなく、衣服内温度センサ１７３ａ１や衣服内湿度センサ１７４ａ１のように人が保持すべきセンサでなければ、壁等に設置されるリモコン９９ａ１等に配備されていてもよい。
【０１０５】
以下、第２センサ１７２ａ１に、衣服内温度センサ１７３ａ１と、衣服内湿度センサ１７４ａ１と、動き把握センサ１７５ａ１とが含まれる場合の空調情報供与装置７０ａ１の構成及び制御について説明する。
【０１０６】
図８は、本変形例１Ａに係る空調情報供与装置７０ａ１の概略構成図である。
【０１０７】
図８に示すように、第２センサ１７２ａ１に、利用者の動きを把握する動き把握センサ１７５ａ１が含まれている場合は、人工室内温度生成部３７６ａ１は、当該動き把握センサ１７５ａ１によって検出される利用者の動きをさらに加味して、人工室内温度Ｔａを生成する。ここで、動き把握センサ１７５ａ１には、例えば、利用者の動くスピードを検出する加速度センサがある。
【０１０８】
この場合、記憶部７３ａ１は、さらに、動き―人工室内温度シフト値データベース２７７ａ１を保持する。動き―人工室内温度シフト値データベース２７７ａ１には、動き把握センサ１７５ａ１によって検出されたセンサ値（検出値）（すなわち、利用者の動くスピード）がどの程度であれば、空調環境評価から導かれる人工室内温度をどの程度シフトさせるかといった関係を示す動き―人工室内温度シフト値マップが記憶されている。具体的には、動き―人工室内温度シフト値マップには、冷房モード時において、利用者の動くスピードが所定の閾値より大きければ、シフト値は、＋βであり、他方、利用者の動くスピードが０以上所定の閾値未満であれば、シフト値は０であるといった関係等が示されている。
【０１０９】
以下、人工室内温度生成部３７６ａ１の具体的な制御について説明する。
【０１１０】
まず、上記実施形態と同様に、指標生成部３７７ａ１が、衣服内温度Ｔ１と衣服内湿度Ｈ１から指標Ｚを生成し、環境評価決定部３７８ａ１が環境表環境評価決定―人工室内温度決定マップや衣服内温度Ｔ１及び衣服内湿度Ｈ１に基づく利用者の快適度の決定のグラフから空調環境評価を決定して、人工室内温度決定部３７９ａ１が空調環境評価から人工室内温度Ｔａを決定する。
【０１１１】
このとき、人工室内温度決定部３７９ａ１は、動き―人工室内温度シフト値データベース２７７ａ１に記憶されている動き―人工室内温度シフト値マップを読み出して、動き把握センサ１７５ａ１によって検出されたセンサ値（検出値）から、空調環境評価から導かれる人工室内温度のシフト値を決定する。よって、冷房モード時において、利用者の動くスピードが所定の閾値より大きければ、シフト値は、＋βとなるので、空調環境評価から導かれる人工室内温度にシフト値βを加算して人工室内温度Ｔａを決定する。すなわち、人工室内温度Ｔａ＝Ｔｂ−α＋βとなる。
【０１１２】
（６−２）変形例１Ｂ
上記実施形態では、人工室内温度生成部３７６ａ１は、衣服内温度センサ１７３ａ１及び衣服内湿度センサ１７４ａ１のセンサ値（検出値）に基づいて、人工室内温度Ｔａを生成しているが、これに限られるものではない。
【０１１３】
例えば、データ受信部３７４ａ１が、空調室内機３０ａ１の設定温度を、リモコン９９ａ１、コントローラ４０、又は、空調室内機３０ａ１から受信する場合は、人工室内温度生成部３７６ａ１は、当該設定温度の情報をさらに加味して、人工室内温度Ｔａを生成してもよい。
【０１１４】
以下、冷房モード時において、人工室内温度生成部３７６ａ１が空調環境評価を寒いと決定して、空調環境評価から導かれる人工室内温度を２５度に決定している場合を例にとって、空調情報供与装置７０ａ１の制御について説明する。
【０１１５】
この場合、空調情報供与装置７０ａ１は、空調環境評価を寒いと決定しているので、空調機１０ａ（空調室内機３０ａ１）に対してこれ以上冷房を行わないような指令を送る必要がある。しかし、設定温度が２３度であれば、空調機１０ａは、人工室内温度Ｔａと設定温度との乖離度に基づいて空調機１０ａの各種機器を制御するので、より冷房能力を強める運転を行うことになる。
【０１１６】
よって、空調情報供与装置７０ａ１が設定温度の情報を受信して取得できれば、空調機１０ａ（空調室内機３０ａ１）に対してこれ以上冷房を行わないように（すなわち、サーモオフ状態にするように）、人工室内温度Ｔａを２３度（設定温度）以下にして、空調室内機３０ａ１に送ることができる。
【０１１７】
このように、設定温度を把握できれば、人工室内温度Ｔａを生成する際の基準にする温度を把握できるので、より効率的に人工室内温度Ｔａを生成することができる。
【０１１８】
なお、空調情報供与装置７０ａ１は、空調室内機３０ａ１の暖房モード時においては、人工室内温度Ｔａを設定温度以上にして、空調室内機３０ａ１に送信する。
【０１１９】
（６−３）変形例１Ｃ
図９は、本変形例１Ｃに係る空調情報供与装置７０ａ１の概略構成図である。
【０１２０】
人工室内温度生成部３７６ａ１は、上記実施形態以外の制御を行ってもよい。
【０１２１】
例えば、人工室内温度生成部３７６ａ１は、データ受信部３７４ａ１が受信した第２センサ１７２ａ１の検出信号（すなわち、通信できた第２センサ１７２ａ１の数）によって、利用者の人数を把握し、把握した利用者の人数に基づいて、人工室内温度Ｔａを生成してもよい。
【０１２２】
この場合、図９に示すように、記憶部７３ａ１は、人数―人工室内温度シフト値データベース２７８ａ１をさらに保持する。人数―人工室内温度シフト値データベース２７８ａ１には、通信できた第２センサ１７２ａ１の数（すなわち、利用者の人数）と、空調環境評価から導かれる人工室内温度のシフト値との関係を示す人数―人工室内温度シフト値マップが記憶されている。具体的には、人数―人工室内温度シフト値マップには、冷房モード時において、利用者の人数が１以上５未満であれば、シフト値は０であり、５以上１０未満であれば、シフト値は＋０．５度であり、１０以上１５未満であれば、シフト値は＋１度である、といった関係等が示されている。
【０１２３】
以下、この場合の人工室内温度生成部３７６ａ１の具体的な制御について説明する。
【０１２４】
まず、上記実施形態と同様に、指標生成部３７７ａ１が、衣服内温度Ｔ１と衣服内湿度Ｈ１から指標Ｚを生成し、環境評価決定部３７８ａ１が環境表環境評価決定―人工室内温度決定マップや衣服内温度Ｔ１及び衣服内湿度Ｈ１に基づく利用者の快適度の決定のグラフから空調環境評価を決定して、人工室内温度決定部３７９ａ１が空調環境評価から人工室内温度Ｔａを決定する。
【０１２５】
このとき、人工室内温度決定部３７９ａ１は、人数―人工室内温度シフト値データベース２７８ａ１に記憶されている人数―人工室内温度シフト値マップを読み出して、通信できた第２センサ１７２ａ１の数（利用者の人数）から、空調環境評価から導かれる人工室内温度のシフト値を決定する。具体的には、冷房モード時において、通信できた第２センサ１７２ａ１の数（利用者の人数）が３である場合、シフト値は０であるので、人工室内温度決定部３７９ａ１は、空調環境評価から導かれる人工室内温度を人工室内温度Ｔａとして決定する。
【０１２６】
なお、通信できた第２センサ１７２ａ１の数（利用者の人数）が０である場合は、人工室内温度生成部３７６ａ１は、空調機１０ａをサーモオフ状態にするために、冷房モード時においては、設定可能な温度の下限値以下、また、暖房モード時においては、設定可能な温度の上限値以上、の人工室内温度Ｔａを生成する。なお、通信できた第２センサ１７２ａ１の数（利用者の人数）が０の場合で、変形例１Ｂに記載のように、空調情報供与装置７０ａ１が設定温度の情報を受信している場合は、サーモオフ状態にするには、人工室内温度Ｔａを、冷房モード時において設定温度以下にすればよく、暖房モード時においては設定温度以上にすればよい。
【０１２７】
（６−４）変形例１Ｄ
図１０は、本変形例１Ｄに係る空調情報供与装置７０ａ１の概略構成図である。
【０１２８】
上記実施形態では、第２センサ１７２ａ１は、持ち運びが可能なセンサで各利用者のポケット等に入れることが可能なものであってもよいし、図４に示すように各利用者の衣服の襟元等に固定されるようなものであってもよいと説明し、各利用者に保持されるものであると説明した。しかし、これに限られるものではなく、各利用者に保持されなくてもよい。
【０１２９】
この場合、図１０に示すように、第２センサ１７２ａ１には、居室内又は対象空間Ｓの利用者の人数を把握する人数把握センサ１７６ａ１（人数検出部に相当）が含まれる。人数把握センサとしては、具体的には、熱画像センサ、画像センサ、電波センサ等が挙げられる。
【０１３０】
そして、人工室内温度生成部３７６ａ１は、データ受信部３７４ａ１が受信した第２センサ１７２ａ１（具体的には、人数把握センサ１７６ａ１）の検出信号によって、利用者の人数を把握し、把握した利用者の人数に基づいて、人工室内温度Ｔａを生成する。
【０１３１】
この場合の人工室内温度生成部３７６ａ１の具体的な制御としては、変形例１Ｃに記載の制御と同様である。すなわち、人数―人工室内温度シフト値マップを用いて、人数把握センサ１７６ａ１によって把握できた利用者の人数から、空調環境評価から導かれる人工室内温度のシフト値を決定している。
【０１３２】
（６−５）変形例１Ｅ
図１１は、本変形例１Ｅに係る空調情報供与装置７０ａ１の概略構成図である。
【０１３３】
人工室内温度生成部３７６ａ１は、上記実施形態以外の制御を行ってもよい。
【０１３４】
例えば、図１１に示すように、第２センサ１７２ａ１に、利用者の生理量（脳波や脳血流量、心拍等）を検出する生理量センサ１７７ａ１が含まれている場合、人工室内温度生成部３７６ａ１は、当該生理量センサ１７７ａ１によって検出される利用者の生理量をさらに加味して、人工室内温度Ｔａを生成してもよい。この場合、制御部７４ａ１は、生理量センサ１７７ａ１による検出値（センサ値）に基づいて、利用者の快／不快度を把握する快／不快度把握部３８０ａ１としてさらに機能する。
【０１３５】
なお、記憶部７３ａ１の所定のデータベースには、予め、利用者の生理量と、利用者の快／不快度との関係が示されるマップが記憶されているものとする。そして、快／不快度把握部３８０ａ１は、当該マップに基づいて、生理量センサ１７７ａ１の検出値（センサ値）から、利用者の快／不快度を把握している。
【０１３６】
具体的な制御としては、例えば、空調環境評価（暑い）から導かれた人工室内温度がＴｂ＋αであったとする。この場合、人工室内温度決定部３７９ａ１は、快／不快度把握部３８０ａ１が利用者が快と感じていると把握した場合に、人工室内温度ＴａをＴｂと決定し、快／不快度把握部３８０ａ１が利用者が不快と感じていると把握した場合は、人工室内温度ＴａをＴｂ＋αと決定する。
【０１３７】
また、さらに、所定時間が経った後の制御として考えられるのは、快／不快度把握部３８０ａ１が利用者が快と感じていると把握した場合は、人工室内温度ＴａをＴｂ＋αのまま維持するように決定し、快／不快度把握部３８０ａ１が利用者が不快と感じていると把握した場合は、さらにαの値を大きくする制御である。
【０１３８】
以上のような制御により、利用者の状態に応じた制御を行うことが可能になる。
【０１３９】
なお、空調環境評価が寒い場合は、上述の＋αを、−αに変更する制御を行えばよい。
【０１４０】
（６−６）変形例１Ｆ
図１２は、本変形例１Ｆに係る空調情報供与装置７０ａ１の概略構成図である。
【０１４１】
上記実施形態では、人工室内温度生成部３７６ａ１は、室内温度センサ１９ａ１以外の第２センサ１７２ａ１のセンサ値（検出値）に基づいて、人工室内温度Ｔａを生成しているが、室内温度センサ１９ａ１によって検出される室内温度を用いて、人工室内温度Ｔａを補正してもよい。
【０１４２】
この場合、図１２に示すように、制御部７４ａ１は、人工室内温度生成部３７６ａ１によって生成された人工室内温度Ｔａを、室内温度センサ１９ａ１によって検出された室内温度に基づいて補正する補正部３８１ａ１としてさらに機能する。
【０１４３】
また、記憶部７３ａ１は、乖離度―シフト値データベース２７９ａ１をさらに保持する。乖離度―シフト値データベース２７９ａ１には、人工室内温度生成部３７６ａ１によって生成された人工室内温度Ｔａと、室内温度センサ１９ａ１によって検出された室内温度との乖離度と、人工室内温度Ｔａのシフト値との関係を示す乖離度―シフト値マップが記憶されている。乖離度―シフト値マップは、具体的には、冷房モード時において、人工室内温度Ｔａと室内温度との乖離度が所定の閾値よりも大きければ、シフト値を＋γとする、といった関係等が示されている。
【０１４４】
そして、補正部３８１ａ１は、当該マップに基づいて、人工室内温度生成部３７６ａ１によって生成された人工室内温度Ｔａを、実際に検出される室内温度の情報に基づいて、補正している。
【０１４５】
これにより、人工室内温度Ｔａと室内温度とに乖離がある場合（例えば、利用者が服を着込みすぎていて、実際の室内温度が低いに関わらず快適と感じている等）等、利用者の種々の状況に対応して、人工室内温度Ｔａを補正できる。そして、補正した人工室内温度Ｔａを空調室内機３０ａ１に送信することで、利用者の状況に応じた空調室内機３０ａ１の制御が可能になる。
【０１４６】
（６−７）変形例１Ｇ
上記実施形態の第２センサ１７２ａ１は、利用者のＩＤ情報が付与されるものであってもよい。例えば、利用者のＩＤ情報が付与されるセンサとしては、ＲＦＩＤ方式のセンサがある。
【０１４７】
この場合、人工室内温度生成部３７６ａ１は、当該ＩＤ情報（すなわち、利用者）毎に、人工室内温度Ｔａを生成する。具体的な制御としては、上記実施形態と同様である。
【０１４８】
なお、ＩＤ情報に、利用者の空調環境に関する情報（例えば、暑がり／寒がりである等）が含まれている場合は、当該情報を加味した制御を行ってもよい。具体的には、暑がりの人の場合は、空調環境評価から導かれる人工室内温度に予め記憶部７３ａ１の所定のデータベースに記憶される任意の値を加算して人工室内温度Ｔａを生成し、寒がりの人の場合は、空調環境評価から導かれる人工室内温度に予め記憶部７３ａ１の所定のデータベースに記憶される任意の値を減算して人工室内温度Ｔａを生成する。
【０１４９】
これは、例えば、パーソナル空調のような個人的な空調を行う場合に有効である。これにより、各利用者の好み（状態）に応じた空調制御を行うことができる。
【０１５０】
（６−８）変形例１Ｈ
上記実施形態では、湿度情報として、衣服内湿度Ｈ１を用いているが、これに限られるものではない。例えば、居室内の湿度情報（空調室内機に吸い込まれる吸込空気の湿度情報等）であってもよい。この場合、居室内の湿度情報を検出する室内湿度センサ（図示せず）が空調室内機３０ａ１，３０ａ２，・・・，３０ａｎや他の場所に設けられることになる。
【０１５１】
（６−９）変形例１Ｉ
上記実施形態では、第２センサ１７２ａ１は、外部からの給電によって駆動するパッシブ型のセンサを想定して説明したが、これに限られるものではなく、自身の電池で稼働するアクティブ型のセンサであってもよい。この場合、図５に示すステップＳ１０１の処理は省かれる。
【０１５２】
（６−１０）変形例１Ｊ
上記実施形態では、空調室内機３０ａ１，３０ａ２，・・・，３０ａｎ毎に空調情報供与装置７０ａ１，７０ａ２，・・・，７０ａｎが接続されているものに限定して説明したが、これに限られるものではない。
【０１５３】
例えば、壁等に設置されるリモコンに空調情報供与装置７０ａ１，７０ａ２，・・・，７０ａｎの機能を内蔵し、当該リモコンにおいて、当該リモコンが制御を行う複数の空調室内機を一括に制御してもよい。すなわち、リモコンは、複数の空調室内機に対して、一律の人工室内温度Ｔａを送信する。
【０１５４】
なお、この場合、冷房モード時において、複数の空調室内機のうち、実際に室内温度センサによって検出される室内温度が、他の空調室内機に比べて所定値以上高い空調室内機（第１空調室内機という）や、暖房モード時において、複数の空調室内機のうち、実際に室内温度センサによって検出される室内温度が、他の空調室内機に比べて所定値以上低い空調室内機（第２空調室内機という）がある場合、リモコンは、第１空調室内機や第２空調室内機に対して、補正した人工室内温度Ｔａを送信する。
【０１５５】
具体的には、変形例１Ｄで説明した補正部が、予め空調情報供与装置の記憶部が保持する所定のデータベースに記憶されている、人工室内温度Ｔａと室内温度との乖離度と、人工室内温度Ｔａのシフト値との関係を示すマップに基づいて、シフト値を決定し、人工室内温度Ｔａを補正している。
【０１５６】
より具体的には、補正部は、冷房モード時においては、シフト値の分を人工室内温度Ｔａに加算し、暖房モード時においては、シフト値の分を人工室内温度Ｔａに減算して、人工室内温度Ｔａを補正している。
【０１５７】
（６−１１）変形例１Ｋ
上記実施形態では、室内温度センサ１９ａ１以外の第２センサ１７２ａ１によって検出されたセンサ値（検出値）に基づいて、室内温度の人工的な情報である人工室内温度Ｔａ（人工対象空間温度に相当）を生成し、実際の情報である室内温度の代わりに、当該人工室内温度Ｔａを空調室内機３０ａ１の室内制御部１３ａ１に送信する場合を例に挙げて具体的に説明したが、基本的に空調情報供与装置７０ａ１，７０ａ２，・・・，７０ａｎは、以下のような機能を有していれば成立する（すなわち、空調機１０ａの更新の手間を抑制できるといった課題を解決できる）。
【０１５８】
空調室内機とのデータのやり取りやセンサ（検出部）からの通信を可能にする通信部（上記実施形態の通信部７１ａ１に相当）と、センサの情報等を受信する受信部（上記実施形態の制御部７４ａ１を構成するデータ受信部３７４ａ１に相当）と、受信したセンサの情報をモデル化し、作成したモデルに基づいてセンサの情報を空調機が対応できるサーミスタの情報に変換する情報変換部（上記実施形態の人工室内温度生成部３７６ａ１に相当）と、センサの情報やモデル等を記憶する記憶部（上記実施形態の記憶部７３ａ１に相当）と、情報変換部で変換した情報を空調室内機の室内制御部（空調機の制御部）に送信する送信部（上記実施形態の制御部７４ａ１を構成するデータ送信部３７５ａ１に相当）とである。
【産業上の利用可能性】
【０１５９】
本発明は、各種のセンサ情報を人工的な室内環境情報（室内温度）に変換し、当該変換した室内温度（人工室内温度）を空調室内機（空調機）に送信して、空調室内機（空調機）を制御する、種々の空調制御システムに適用可能である。
【符号の説明】
【０１６０】
１３ａ１，１３ａ２，・・・，１３ａｎ  空調室内機の室内制御部
１９ａ１                              室内温度センサ（第１検出部）
３０ａ１，３０ａ２，・・・，３０ａｎ  空調室内機
７０ａ１，７０ａ２，・・・，７０ａｎ  空調情報供与装置
１７２ａ１  第２センサ（第２検出部）
１７３ａ１  衣服内温度センサ（温度検出部）
１７４ａ１  衣服内湿度センサ（湿度検出部）
１７５ａ１  動き把握センサ（動き把握検出部）
１７６ａ１  人数把握センサ（人数検出部）
１７７ａ１  生理量センサ（生理量検出部）
３７４ａ１  データ受信部（受信部）
３７５ａ１  データ送信部（送信部）
３７６ａ１  人工室内温度生成部（人工対象空間温度生成部）
３８０ａ１  快／不快度把握部
３８１ａ１  補正部
【先行技術文献】
【特許文献】
【０１６１】
【特許文献１】特開２００７−７８２２１号公報
【図１】
0005531824.tif 000002
【図２】
0005531824.tif 000003
【図３】
0005531824.tif 000004
【図４】
0005531824.tif 000005
【図５】
0005531824.tif 000006
【図６】
0005531824.tif 000007
【図７】
0005531824.tif 000008
【図８】
0005531824.tif 000009
【図９】
0005531824.tif 000010
【図１０】
0005531824.tif 000011
【図１１】
0005531824.tif 000012
【図１２】
0005531824.tif 000013